(57)【特許請求の範囲】
【請求項１】
枠体（２）における上側の横枠材（５）に、上下方向に貫通する複数の貫通孔（１０）（１１）を形成し、前記枠体（２）における下側の横枠材（６）に、前記複数の貫通孔（１０）（１１）に対応させて複数の挿入孔（２０）（２１）を形成して、複数の目隠し用縦材（３）を、前記貫通孔（１０）（１１）に上方から夫々挿通させるとともに、それら目隠し用縦材（３）の下端部を、前記挿入孔（２０）（２１）に夫々挿入することで、前記上下の横枠材（５）（６）間に跨って複数の目隠し用縦材（３）を着脱可能に取り付けた目隠し塀において、前記目隠し用縦材（３）を帯板状に夫々形成し、また、前記貫通孔（１０）（１１）として、前記上側の横枠材（５）の長さ方向に沿ってスリット状に形成した第１貫通孔（１０）と、前記上側の横枠材（５）の幅方向に沿ってスリット状に形成した第２貫通孔（１１）とを備えるとともに、前記第１貫通孔（１０）と第２貫通孔（１１）とを互いに交差させて形成し、さらに、前記挿入孔（２０）（２１）は、第１挿入孔（２０）と第２挿入孔（２１）とを備えるとともに、前記第１挿入孔（２０）と第２挿入孔（２１）とは、前記第１貫通孔（１０）と第２貫通孔（１１）とに対応した形状としていることを特徴とする目隠し塀。
【請求項２】
前記枠体（２）及び目隠し用縦材（３）を、木製とした請求項１に記載の目隠し塀。
【発明の詳細な説明】
【技術分野】
【０００１】
この発明は、例えば建物のテラスやバルコニー、建物の隣地境界等に設置して、外部からの視線を柔らかく遮る目隠し塀に関する。
【背景技術】
【０００２】
一般に、建物のテラスやバルコニー、建物の隣地境界等に設置する目隠し塀としては、方形枠状の枠体内に、複数の板状若しくは棒状の目隠し材を取り付けた構造のものが知られている。
【０００３】
この種の目隠し塀として、例えば特許文献１に開示されているように、複数の目隠し材が着脱可能となっていて、目隠し材の取り付け本数を増減するだけで、開口率を調整できるようにしたものがある。このような目隠し塀においては、目隠し材の取り付け本数を多くして開口率を小さくすることで、外部からの視線を十分に遮ることができ、また目隠し材の取り付け本数を少なくして開口率を大きくすることで、通風や採光を良好にすることができることから、状況に応じた柔軟な対応が可能となっている。
【０００４】
【特許文献１】特開２００３−２３９５７０号公報
【発明の開示】
【発明が解決しようとする課題】
【０００５】
しかしながら、上記の特許文献１に開示されているような目隠し塀では、目隠し材がビス等の固定部品によって枠体に強固に取り付けられていて、全体的に堅牢な構造となっているので、圧迫感や威圧感を与え易く、建物のテラス等のようなくつろぎ空間への設置には好適ではないといった不具合があった。しかも、このようにビス等の固定部品を使用した場合、目隠し材の着脱作業が面倒であり、開口率の調整を気軽に行うことができないといった不具合もあった。
【０００６】
この発明は、上記の不具合を解消して、簡単な構造であって、固定部品を使用しない手組による目隠し用縦材の着脱を実現することで、開口率を容易に調整可能とするとともに、圧迫感や威圧感のない緩やかな仕切りを可能として、外部からの視線を柔らかに遮ることができる癒し効果の高い目隠し塀を提供することを目的とする。
【課題を解決するための手段】
【０００７】
上記課題を解決するため、この発明の目隠し塀１は、例えば木製の枠体２における上側の横枠材５に、上下方向に貫通する複数の貫通孔１０、１１を形成し、前記枠体２における下側の横枠材６に、前記複数の貫通孔１０、１１に対応させて複数の挿入孔２０、２１を形成して、複数の目隠し用縦材３を、前記貫通孔１０、１１に上方から夫々挿通させるとともに、それら目隠し用縦材３の下端部を、前記挿入孔２０、２１に夫々挿入することで、前記上下の横枠材５、６間に跨って複数の目隠し用縦材３を着脱可能に取り付けた目隠し塀において、前記目隠し用縦材３を帯板状に夫々形成し、また、前記貫通孔１０、１１として、前記上側の横枠材５の長さ方向に沿ってスリット状に形成した第１貫通孔１０と、前記上側の横枠材５の幅方向に沿ってスリット状に形成した第２貫通孔１１とを備えるとともに、前記第１貫通孔１０と第２貫通孔１１とを互いに交差させて形成し、さらに、前記挿入孔２０、２１は、第１挿入孔２０と第２挿入孔２１とを備えるとともに、前記第１挿入孔２０と第２挿入孔２１とは、前記第１貫通孔１０と第２貫通孔１１とに対応した形状としていることを特徴とする。
【発明の効果】
【００１１】
この発明の目隠し塀では、複数の目隠し用縦材が枠体に対して着脱可能となっていて、目隠し用縦材の取り付け本数を増減するだけで、開口率の調整が可能であり、状況に応じて外部からの視線の遮蔽度合や通風量、採光量を変化させることができる。しかも、上側の横枠材の貫通孔及び下側の横枠材の挿入孔に対して、複数の目隠し用縦材を上方から差し込んだだけの簡単な構造となっていて、ビス等の固定部品を使用しない手組による目隠し用縦材の着脱を実現している。従って、目隠し用縦材の着脱作業が容易で、開口率の調整を手軽に行うことができるとともに、圧迫感や威圧感のない緩やかな仕切りを可能として、外部からの視線を柔らかく遮ることができ、建物のテラス等のようなくつろぎ空間に好適に設置することができる癒し効果の高い目隠し塀とすることができる。
【００１２】
また、貫通孔及び挿入孔を、上下の横枠材の長さ方向、幅方向に沿ったスリット状に形成することで、単に目隠し用縦材の取り付け本数を増減するだけでなく、帯板状の目隠し用縦材の取り付け向きを変えることもできることから、様々な使用形態を実現して、機能性及びデザイン性を高めることができる。しかも、上側の横枠材において長さ方向と幅方向の貫通孔を互いに交差させて形成するとともに、下側の横枠材において長さ方向と幅方向の挿入孔を互いに交差させて形成することで、上下の横枠材の狭いスペースに多くの貫通孔や挿入孔を集約して形成することができる。
【発明を実施するための最良の形態】
【００１４】
（実施形態）
この発明の実施形態に係る目隠し塀１は、図１乃至図３に示すように、木製の枠体２に、帯板状に形成された複数の木製の目隠し用縦材３・・を着脱可能に取り付けることによって構成されている。
【００１５】
枠体２は、左右一対の帯板状の縦枠材４、４同士を、上側及び下側の帯板状の横枠材５、６によって連結することで、方形枠状に形成されている。なお、縦枠材４、４の下端部は、下側の横枠材６よりも下方に突出した設置用脚４ａ、４ａとなっている。
【００１６】
上側の横枠材５には、図４に示すように、目隠し用縦材３を若干の遊びを持たせた状態で貫通させるための複数の貫通孔１０、１１・・が上下方向に形成されている。これら貫通孔１０、１１・・は、上側の横枠材５の長さ方向（長手方向）に沿ってスリット状に形成された第１貫通孔１０・・と、上側の横枠材５の幅方向（短手方向）に沿ってスリット状に形成された第２貫通孔１１・・とからなり、第１貫通孔１０・・と第２貫通孔１１・・は、向きが異なるだけで、その大きさ及び形状は略同じになっている。
【００１７】
また、第１貫通孔１０・・同士は、上側の横枠材５の長さ方向に等間隔をあけて形成され、第２貫通孔１１・・同士も、上側の横枠材５の長さ方向に等間隔をあけて形成されている。そして、第１貫通孔１０・・と第２貫通孔１１・・とが互いに交差するように形成されている。具体的には、１つの第１貫通孔１０が隣接する３つの第２貫通孔１１・・の略中央部間に跨った状態となっていて、このような孔群１２・・が上側の横枠材５の長さ方向に等間隔をあけて形成されている。
【００１８】
下側の横枠材６は、２枚の帯板６ａ、６ｂを上下に重ね合わせてなり、上側の帯板６ａには、図５に示すように、上側の横枠材５の貫通孔１０、１１・・に対応して、目隠し用縦材３の下端部を若干の遊びを持たせた状態で挿入するための複数の挿入孔２０、２１・・が上下方向に形成されていて、これら挿入孔２０、２１・・の下端開口は下側の帯板６ｂによって塞がれている。
【００１９】
挿入孔２０、２１・・は、第１貫通孔１０・・の直下において、下側の横枠材６の長さ方向に沿ってスリット状に形成された第１挿入孔２０・・と、第２貫通孔１１・・の直下において、下側の横枠材６の幅方向に沿ってスリット状に形成された第２挿入孔２１・・とからなり、第１挿入孔２０・・と第２挿入孔２１・・は、向きが異なるだけで、その大きさ及び形状は略同じになっている。
【００２０】
また、第１挿入孔２０・・同士は、下側の横枠材６の長さ方向に等間隔をあけて形成され、第２挿入孔２１・・同士も、下側の横枠材６の長さ方向に等間隔をあけて形成されている。そして、第１挿入孔２０・・と第２挿入孔２１・・とが互いに交差するように形成されている。具体的には、１つの第１挿入孔２０が隣接する３つの第２挿入孔２１・・の略中央部間に跨った状態となっていて、このような孔群２２・・が下側の横枠材６の長さ方向に等間隔をあけて形成されている。
【００２１】
そして、図６に示すように、複数の目隠し用縦材３・・を、上側の横枠材５の第１貫通孔１０・・や第２貫通孔１１・・に上方から夫々挿通させるとともに、それら目隠し用縦材３・・の下端部を、下側の横枠材６の第１挿入孔２０・・や第２挿入孔２１・・に夫々挿入することで、枠体２の上下の横枠材５、６間に跨って複数の目隠し用縦材３・・が着脱可能に取り付けられている。なお、枠体２からの目隠し用縦材３・・の取り外しに際しては、目隠し用縦材３・・を上方へ引き抜くだけで良い。
【００２２】
図１は、第１貫通孔１０・・と第１挿入孔２０・・だけを利用して、目隠し用縦材３・・を取り付けた状態を示している。図２は、第２貫通孔１１・・と第２挿入孔２１・・だけを利用して、目隠し用縦材３・・を取り付けた状態を示している。図３は、第１貫通孔１０・・と第１挿入孔２０・・、第２貫通孔１１・・と第２挿入孔２１・・の双方を利用して、目隠し用縦材３・・を取り付けた状態を示している。目隠し塀１の開口率としては、図１に示す状態、図３に示す状態、図２に示す状態の順に大きくなっている。なお、目隠し用縦材３・・の取付状態は、これら図１乃至図３に示す状態だけに限定されず、図１乃至図３に示す状態において、一部の目隠し用縦材３・・を取り外したり、一部の目隠し用縦材３・・の向きを変えて取り付けた状態としても良い。
【００２３】
このように、上記構成の目隠し塀１では、目隠し用縦材３・・の取り付け本数を増減したり、目隠し用縦材３・・を取り付ける向きを適宜変えることで、開口率の調整が可能となっていて、状況に応じて外部からの視線の遮蔽度合や通風量、採光量を変化させることができる。しかも、単に目隠し用縦材３・・の取り付け本数を増減するだけでなく、帯板状の目隠し用縦材３・・の取り付け向きを変えることもできることから、様々な使用形態を実現して、機能性及びデザイン性を高めることができる。
【００２４】
また、この目隠し塀１においては、上側の横枠材５の貫通孔１０、１１・・及び下側の横枠材６の挿入孔２０、２１・・対して、複数の目隠し用縦材３・・を上方から差し込んだだけの簡単な構造となっていて、ビス等の固定部品を使用しない手組による目隠し用縦材３・・の着脱を実現している。従って、目隠し用縦材３・・の着脱作業が容易で、開口率の調整を手軽に行うことができるとともに、木製の枠体２及び目隠し用縦材３・・を使用したことによる質感も相俟って、圧迫感や威圧感のない緩やかな仕切りを可能として、外部からの視線を柔らかに遮ることができ、建物のテラス等のようなくつろぎ空間に好適に設置することができる癒し効果の高い目隠し塀１とすることができる。
【００２５】
（参考例）
参考例に係る目隠し塀３０は、図７及び図８に示すように、木製の枠体３２に、棒状に形成された複数の竹製の目隠し用縦材３３・・を着脱可能に取り付けることによって構成されている。
【００２６】
枠体３２は、左右一対の帯板状の縦枠材３４、３４同士を、上側及び下側の帯板状の横枠材３５、３６によって連結することで、方形枠状に形成されている。なお、縦枠材３４、３４の下端部は、下側の横枠材３６よりも下方に突出した設置用脚３４ａ、３４ａとなっている。
【００２７】
上側の横枠材３５には、図９に示すように、目隠し用縦材３３を若干の遊びを持たせた状態で貫通させるための複数の貫通孔４０・・が上下方向に形成されている。これら貫通孔４０・・は、略円形状に夫々形成されていて、上側の横枠材３５の長さ方向（長手方向）及び幅方向（短手方向）に間隔をあけて千鳥状に配置されている。具体的には、複数の貫通孔４０・・を上側の横枠材３５の長さ方向に等間隔に並べてなる３本の孔列４１・・が、上側の横枠材３５の幅方向に等間隔をあけて互いに平行に配置されていて、両端側の孔列４１・・の貫通孔４０・・と中央側の孔列４１の貫通孔４０・・とが、互いに上側の横枠材３５の長さ方向に位置ずれした状態となっている。
【００２８】
下側の横枠材３６は、２枚の帯板３６ａ、３６ｂを上下に重ね合わせてなり、上側の帯板３６ａには、図１０に示すように、上側の横枠材３５の貫通孔４０・・に対応して、目隠し用縦材３３の下端部を若干の遊びを持たせた状態で挿入するための複数の挿入孔５０・・が上下方向に形成されていて、この挿入孔５０・・の下端開口は下側の帯板３６ｂによって塞がれている。
【００２９】
挿入孔５０・・は、略円形状に夫々形成されていて、貫通孔４０・・の直下において、下側の横枠材３６の長さ方向及び幅方向に間隔をあけて千鳥状に配置されている。具体的には、複数の挿入孔５０・・を下側の横枠材３６の長さ方向に等間隔に並べてなる３本の孔列５１・・が、下側の横枠材３６の幅方向に等間隔をあけて互いに平行に配置されていて、両端側の孔列５１・・の挿入孔５０・・と中央側の孔列５１の挿入孔５０・・とが、互いに下側の横枠材３６の長さ方向に位置ずれした状態となっている。
【００３０】
そして、図１１に示すように、複数の目隠し用縦材３３・・を、上側の横枠材３５の貫通孔４０・・に上方から夫々挿通させるとともに、それら目隠し用縦材３３・・の下端部を、下側の横枠材３６の挿入孔５０・・に夫々挿入することで、枠体３２の上下の横枠材３５、３６間に跨って複数の目隠し用縦材３３・・が着脱可能に取り付けられている。なお、枠体３２からの目隠し用縦材３３・・の取り外しに際しては、目隠し用縦材３３・・を上方へ引き抜くだけで良い。
【００３１】
図７は、全ての貫通孔４０・・と挿入孔５０・・を利用して、目隠し用縦材３３・・を取り付けた状態を示している。図８は、中央側の孔列４１、５１の貫通孔４０・・と挿入孔５０・・だけを利用して、目隠し用縦材３３・・を取り付けた状態を示している。目隠し塀１の開口率としては、図７に示す状態が小さく、図８に示す状態が大きくなっている。なお、目隠し用縦材３・・の取付状態は、これら図７及び図８に示す状態だけに限定されず、一端側又は他端側の孔列４１、５１の貫通孔４０・・と挿入孔５０・・だけを利用して、目隠し用縦材３３・・を取り付けたり、これらの状態において一部の目隠し用縦材３３・・を取り外した状態としても良い。
【００３２】
このように、上記構成の目隠し塀３０では、目隠し用縦材３３・・の取り付け本数を増減することで、開口率の調整が可能となっていて、状況に応じて外部からの視線の遮蔽度合や通風量、採光量を変化させることができる。しかも、貫通孔４０・・及び挿入孔５０・・を千鳥状に配置しているので、奥行き感を持たせながら目隠し用縦材３３・・を取り付けることができ、様々な使用形態を実現して、機能性及びデザイン性を高めることができる。
【００３３】
また、この目隠し塀３０においては、上側の横枠材３５の貫通孔４０・・及び下側の横枠材３６の挿入孔５０・・対して、複数の目隠し用縦材３３・・を上方から差し込んだだけの簡単な構造となっていて、ビス等の固定部品を使用しない手組による目隠し用縦材３３・・の着脱を実現している。従って、目隠し用縦材３３・・の着脱作業が容易で、開口率の調整を手軽に行うことができるとともに、木製の枠体３２及び竹製の目隠し用縦材３３・・を使用したことによる質感も相俟って、圧迫感や威圧感のない緩やかな仕切りを可能として、外部からの視線を柔らかに遮ることができ、建物のテラス等のようなくつろぎ空間に好適に設置することができる癒し効果の高い目隠し塀３０とすることができる。
【００３４】
この発明は、上記実施形態に限定されるものではなく、この発明の範囲内で上記実施形態に多くの修正及び変更を加え得ることは勿論である。
【図面の簡単な説明】
【００３５】
【図１】この発明の実施形態に係る目隠し塀の斜視図である。
【図２】目隠し用縦材の他の取付状態を示す斜視図である。
【図３】目隠し用縦材の別の取付状態を示す斜視図である。
【図４】上側の横枠材の平面図である。
【図５】下側の横枠材の平面図である。
【図６】目隠し用縦材の取付状態を示す縦断面図である。
【図７】参考例に係る目隠し塀の斜視図である。
【図８】目隠し用縦材の他の取付状態を示す斜視図である。
【図９】上側の横枠材の平面図である。
【図１０】下側の横枠材の平面図である。
【図１１】目隠し用縦材の取付状態を示す縦断面図である。
【符号の説明】
【００３６】
１、３０・・目隠し塀、２、３２・・枠体、３、３３・・目隠し用縦材、５、３５・・上側の横枠材、６、３６・・下側の横枠材、１０、１１、４０・・貫通孔、２０、２１、５０・・挿入孔
【図１】
0005151491.tif 000002
【図２】
0005151491.tif 000003
【図３】
0005151491.tif 000004
【図４】
0005151491.tif 000005
【図５】
0005151491.tif 000006
【図６】
0005151491.tif 000007
【図７】
0005151491.tif 000008
【図８】
0005151491.tif 000009
【図９】
0005151491.tif 000010
【図１０】
0005151491.tif 000011
【図１１】
0005151491.tif 000012